(57)【特許請求の範囲】
【請求項１】
住宅の敷地内に侵入した不審者を威嚇するための不審者威嚇装置において、
前記住宅の外壁と該外壁と相対向して設けられた前記住宅の敷地を区切る壁体との間に侵入した前記不審者を検知する検知手段と、
前記壁体の敷地内側面の下方に取付けられると共に、前記壁体と相対向する前記住宅の外壁に向かって該壁体の下方から斜め上方に照射され、前記不審者の影を前記住宅の外壁に投影する照明手段と、
前記検知手段の検知結果に基づき前記照明手段を点灯させる制御手段と、を具備することを特徴とする不審者威嚇装置。
【請求項２】
前記検知手段、前記照明手段、及び前記制御手段が一体となって前記壁体の下方に取付けられることを特徴とする請求項１記載の不審者威嚇装置。
【請求項３】
請求項１又は２記載の不審者威嚇装置が、相隣接する前記住宅の敷地同士を区切る壁体に設けられることを特徴とする不審者威嚇装置。
【請求項４】
前記壁体が複数のガラスブロックから形成されていることを特徴とする請求項１乃至３記載の不審者威嚇装置。
【発明の詳細な説明】
【技術分野】
【０００１】
この発明は、住宅の敷地を区切る壁体と住宅の外壁との間に侵入した不審者を威嚇し、住宅内への侵入を防止するための不審者威嚇装置に関する。
【背景技術】
【０００２】
従来、住宅の敷地内への不審者の侵入を防止するために、該住宅の敷地を区切る塀等の壁体の上面に忍び返しを設けたり、壁体の高さを高くする等の対策が行われてきた。しかし、既存の住宅の壁体に忍び返しを設けたり、壁体の高さを高くするのは施工が大掛かりになり、多大な費用を要するという問題があった。また、壁体を高くした際には、一旦、不審者が敷地内に侵入した場合には外部から当該不審者の侵入がわかりにくく防犯上好ましくない。これらの問題を解決すべく以下のようなセキュリティ装置が考案されている（例えば、特許文献１）。
【０００３】
このセキュリティ装置は、図１１に示すように、不審者の侵入等の異常を検出する赤外線センサー１００等の検出手段１０１と、該検出手段１０１の検出結果に基づき所定の制御を行う制御手段と１０２と、該制御手段１０２で制御される発音装置１０３や発光装置１０４等から構成される警報出力ユニット１０５と、不審者を監視する監視カメラ１０６と、前記制御手段を手動で操作することができる手動スイッチ１０７と、を具備している。
【０００４】
【特許文献１】実用新案登録第３００３０６９号公報
【発明の開示】
【発明が解決しようとする課題】
【０００５】
これにより、赤外線センサー１００が不審者の侵入を検知した際には、警報ベルやフラッシュライト等で威嚇を行うと共に、外部に不審者の存在を知らせることができる。しかし、警報ベル等の発音装置１０を使用する場合には、万一、誤作動が生じた場合には周囲に迷惑が掛かるという問題がある。さらに、近年、多くの住宅の玄関等にはセンサーライトが設けられており、不審者もフラッシュライト等を点灯させたとしてもほとんど驚くことがなく、当該不審者の住宅内への侵入行為を阻止するに至らない可能性もある。さらに、不審者をフラッシュライトで照射したとしても、当該侵入者がしゃがむ等して身を潜めた場合には外部からこれを視認できないこともある。
【０００６】
この発明は上記のような種々の課題を解決することを目的としてなされたものであって、住宅の敷地を区切る壁体と住宅の外壁との間に侵入した不審者を威嚇し、住宅内への侵入を未然に防止するための不審者威嚇装置に関する。
【課題を解決するための手段】
【０００７】
上記目的を達成するために、請求項１記載の不審者威嚇装置は、住宅の敷地内に侵入した不審者を威嚇するための不審者威嚇装置において、前記住宅の外壁と該外壁と相対向して設けられた前記住宅の敷地を区切る壁体との間に侵入した前記不審者を検知する検知手段と、前記壁体の敷地内側面の下方に取付けられると共に、前記壁体と相対向する前記住宅の外壁に向かって該壁体の下方から斜め上方に照射され、前記不審者の影を前記住宅の外壁に投影する照明手段と、前記検知手段の検知結果に基づき前記照明手段を点灯させる制御手段と、を具備することを特徴としている。
【０００８】
請求項２記載の不審者威嚇装置は、前記検知手段、前記照明手段、及び前記制御手段が一体となって前記壁体の下方に取付けられることを特徴としている。
【０００９】
請求項３記載の不審者威嚇装置は、請求項１又は２記載の不審者威嚇装置が、相隣接する前記住宅の敷地同士を区切る壁体に設けられることを特徴としている。
【００１０】
請求項４記載の不審者威嚇装置は、前記壁体が複数のガラスブロックから形成されていることを特徴としている。
【発明の効果】
【００１１】
請求項１記載の不審者威嚇装置によれば、前記住宅の外壁と該外壁と相対向して設けられた前記住宅の敷地を区切る壁体との間に侵入した前記不審者を検知する検知手段と、前記壁体の敷地内側面の下方に取付けられると共に、前記壁体と相対向する前記住宅の外壁に向かって該壁体の下方から斜め上方に照射され、前記不審者の影を前記住宅の外壁に投影する照明手段と、前記検知手段の検知結果に基づき前記照明手段を点灯させる制御手段と、を具備している。これにより、例えば、不審者が住宅の敷地を区切る塀等の壁体を乗越える等して敷地内に侵入した際には、検知手段がこれを検知して、この検知結果に基づいて照明手段を点灯させる。
【００１２】
そして、不審者が照明手段によって下方から斜め上方に向けて照らされ、その影が塀等の壁体と相対向する住宅の外壁に投影されることで、その投影された影は不審者よりも格段に大きくなるため、突如出現した自分の影で該不審者を驚かせ、住宅内への侵入に至る前に退散させることができる。さらに、不審者が照明手段が点灯した瞬間に、隠れるためにしゃがむ等して身を潜めた場合にも、住宅の外壁に投影された影が塀等の壁体の上端よりも高い位置まで伸びるので、住宅の敷地内に不審者がいることを住宅の敷地外部の他人にも知らせることができる。また、照明手段を壁体の下方に取付けることで不審者には気付かれにくく、突然、該照明手段に照らされることによって当該不審者を威嚇することができるという効果もある。
【００１３】
請求項２記載の不審者威嚇装置によれば、前記検知手段、前記照明手段、及び前記制御手段が一体となって前記壁体の下方に取付けられている。これにより、本発明の不審者威嚇装置を壁体の敷地内側面に取付ける際の作業が容易であり、また、不審者に気付かれにくいという利点がある。
【００１４】
請求項３記載の不審者威嚇装置によれば、請求項１又は２記載の不審者威嚇装置が、相隣接する前記住宅の敷地同士を区切る壁体に設けられている。ここで、相隣接する住宅の敷地同士を区切るような隣地境界上の壁体は、防犯上見通しが悪いからといって容易に取壊すことが困難である。そのため、このような場所に不審者威嚇装置を設けることで、係る場所の防犯性を容易に向上することができる。
【００１５】
請求項４記載の不審者威嚇装置によれば、前記壁体が複数のガラスブロックから形成されている。これにより、住宅内のプライバシーを確保しつつも、住宅外部からの視認性をある程度確保することができるので防犯性を向上することができる。さらに、ガラスブロックに不審者威嚇装置を設けることで、不審者の影が住宅の外壁に投影されるだけでなく、照明手段の光の一部が壁体を透過するので住宅の敷地外部からも照明手段が点灯していることを確認することができ、より防犯性を向上することができる。
【発明を実施するための最良の形態】
【００１６】
この発明における不審者威嚇装置の最良の実施形態について、以下に説明する。本発明の不審者威嚇装置１は、図１、図１０に示すように、住宅の外壁２と、該外壁２と相対向して設けられた該住宅の敷地３を区切る壁体４との間に侵入した不審者５を威嚇するためのものである。そして、前記住宅の外壁２と前記壁体４との間に侵入した前記不審者５を検知する検知手段６と、前記壁体４の敷地３内側面の下方に取付けられると共に、前記壁体４と相対向する前記住宅の外壁２に向かって該壁体４の下方から斜め上方に照射され、前記不審者５の影７を前記住宅の外壁２に投影する照明手段８と、前記検知手段６の検知結果に基づき前記照明手段８を点灯させる制御手段Ｓと、を具備している。
【００１７】
前記壁体４は、図９に示すように、住宅の敷地３を区切るために使用される塀等であり、コンクリートブロック、ガラスブロック、木質材料等から形成され、また、植物を植えることによって塀のように形成された生垣であってもよい。そして、住宅外部からの視線を完全に遮断した場合には防犯上好ましくないので、壁体４の高さは、１．０〜１．６ｍ程度の高さに形成してあることが好ましい。
【００１８】
前記照明手段８は、図２、図４に示すように、壁体４の下方に設けられており、該壁体４から住宅の外壁２の方向に向けて光Ｌを照射するものである。そして、照明手段８としては、輝度の高いハロゲンライトや、白色のＬＥＤライト等を好適に使用することができる。尚、照明手段８は白色光のものに限定されず、赤、青、緑等の有色光であってもく、これらを複数組み合わせてもよい。さらに、照明手段８の点灯の仕方も、検知手段６が不審者５の侵入を検知したと判断した時から所定時間連続的に点灯させてもよいが、住宅外部から非常事態であることをより認識させるために、点滅させる等てもよい。
【００１９】
また、照明手段８は、地面から５００ｍｍよりも低い位置に設けられていることが好ましく、これにより、図３、図４に示すように、不審者５がしゃがむようにして身を潜めた場合や、敷地３の外部からの視線を気にして壁体４の高さよりも低い姿勢で移動するような場合にも、壁体４の上端よりも高い位置にまで影７を投影させることができ、敷地３の外部に不審者５の存在を知らせることができる。そして、照明手段８は、その光Ｌの照射方向を上下左右に変更することができるようになっている。しかし、照明手段８の位置や角度等は、壁体４の高さや照明手段８の照度等に応じて適宜変更することができる。尚、照明手段８は、図２に示すように、該壁体４から若干突出するようにして設けられているが、該検知手段６は該壁体４内に埋め込んでもよい。
【００２０】
前記検知手段６は、図１に示すように、住宅の外壁２と壁体４との間の通路９に侵入した不審者５を検知するものである。該検知手段６は、本実施形態のように、人体表面から放出される遠赤外線を受信し、背景と人体との遠赤外線エネルギーの差を検出して人体を検出する赤外線受動センサー等を好適に使用することができる。また、これ以外にも赤外線ビームを照射する発光部と、該発光部で照射された赤外線ビームのうち人体で反射されたビームを受信する受信部とから形成された赤外線能動センサー等も適宜使用することができる。
【００２１】
そして、検知手段６としての赤外線受動センサーを始めとした不審者威嚇措置１を、図９に示すＡ点、すなわち、相隣接する住宅の敷地３同士を区切る隣地境界上の壁体２に設ける際には、図７、図８（ｂ）に示すように、該検知手段６を壁体４の頂部に設けることができる。この場合には、壁体４から一方の住宅の外壁２ａに向けてその間に設けられた通路９を横断して検知領域Ｔが広がるように設定されている。これにより、不審者５が塀等の壁体４を乗越えて敷地３内の通路９に侵入した際に、若しくは、侵入後さらに住宅内に侵入するために該通路９を移動している際に、検知領域Ｔ内に該不審者５が侵入した場合にはこれを検知する。
【００２２】
さらに、同様に、図７に示すように、壁体４から他方の住宅の外壁２ｂに向けても通路９を横断して検知領域Ｔが広がるように設定されている。また、検知手段６は、図８（ａ）に示すように、照明手段８、及び制御手段Ｓ等と共に一体化して壁体４の下方に設けてもよい。この場合にも、図には示していないが、検知領域Ｔが壁体４から住宅の外壁２に向けて通路９を横断して広がるように設定されているのは勿論である。そして、検知手段６の方向も可変となっているので、住人が頻繁に通るような領域を避けるようにして検知領域Ｔを設定することができる。
【００２３】
また、検知手段６を壁体４の頂部に設ける場合には、検知手段６から壁体４の下方に設けられた照明手段８に内蔵される制御手段Ｓに、有線、若しくは無線方式で検知結果を送信する。これにより、住宅の外壁２と壁体４との間の通路９を不審者５が横切ったり、壁体４を乗越える等して検知手段６の検知領域Ｔに侵入した場合には不審者５の侵入があったものと判断する。尚、検知手段６は、図７に示すように、照明手段８と分離して壁体４の頂部に設ける場合には、該壁体４から若干突出するようにして設けられているが、該検知手段６は該壁体４内に埋め込んでもよい。
【００２４】
前記制御手段Ｓは、照明手段８や検知手段６に適宜内蔵することができ、検知手段６の検知結果に基づき照明手段８を点灯させるものである。具体的には、検知手段６が、その検知領域Ｔに不審者５が侵入し、不審者５の侵入があったとものと判断し、該検知手段６から送信されたこの検知結果を受信した制御手段Ｓが、該検知結果に基づき照明手段８を点灯させる。さらに、制御手段Ｓは、図１０に示すように、不審者５の検知結果を受信した際には照明手段８以外にも、警報装置等の防犯手段Ｔも起動させることができる。また、制御手段Ｓに送信手段を備えておけば、検知結果を住人の携帯電話等の携帯移動端末に送信することもでき、外出中の住人に不審者５の侵入を知らせることも可能である。
【００２５】
以上のような照明手段８、検知手段６、及び制御手段Ｓを具備する不審者威嚇装置１の具体的な作動例について以下に説明する。
【００２６】
不審者５が塀等の壁体４を乗越える等して、住宅の敷地３内における該壁体４と住宅の外壁２との間の通路９に侵入し、壁体４から住宅の外壁２方向に通路９を横断するように広がる検知手段６の検知領域Ｔに不審者５が侵入した場合には、壁体４の下方に設けられた照明手段８が点灯する。該照明手段８は壁体４の下方から斜め上方に住宅の外壁２方向に向けて照射されるので、図１、図２に示すように、不審者５の影７が壁体４と相対向して設けられた住宅の外壁２に拡大して投影される。これにより、不審者５は下方から照射される光Ｌや、突然出現した巨大な自分の影７に驚き、また、その影７の出現により敷地３の外部の住人等に自分の存在が認識されることをおそれ、住宅内への侵入に至ることなく該不審者５を退散させることができる。
【００２７】
さらに、住宅の敷地３の外部から視認することができないように、身をかがめながら移動している場合や、照明手段８が点灯したことによってしゃがむ等して身を潜めた際にも、図３、図４に示すように、不審者５の下方から上方に向けて照明手段８が照射されるので、敷地外部の他人１０が敷地３の外部から不審者５を視認できない場合であっても、住宅の外壁２に投影された該不審者５の影７が壁体４の上端よりも高い位置まで伸び、敷地３の外部からでも不審者５の存在を知ることができる。また、図１乃至図４では、照明手段８と検知手段６とを別々に壁体４に設けているが、これらと制御手段Ｓ等とを一体化して該壁体４の下方に設けてもよいのは勿論である。
【００２８】
また、図５、図６に示すように、壁体４をガラスブロックのような略同一形状の複数の半透明のブロック体１１から形成することもできる。この場合には、住宅の敷地３の外部からの視野の遮蔽性と視認性とをバランスよく確保することができるので防犯性を向上しつつ、住人のプライバシーも確保することができる。ここで、検知手段６が不審者５の侵入を検知し、照明手段８が点灯した際にも、ブロック体１１としてコンクリートブロックを使用して壁体４を形成している場合には、該壁体４の上端から漏れる光しか住宅の敷地３の外部の他人１０は視認することができない。
【００２９】
しかし、図５、図６に示すように、ブロック体１１としてガラスブロックを使用して壁体４を形成している場合には、壁体４の敷地３内側面の下方で照明手段８が点灯したとしても、該照明手段８の光の一部が該壁体４を透過するので、住宅の敷地３の外部の他人１０からもこれを視認することができ不審者５の存在を認識することができる。これにより、不審者５は、突然照明手段８に照らされ、住宅の外壁２に突如大きな影７が発生することに加えて、ガラスブロックで形成された壁体４をこの光が透過して外部に自分の存在が知れることをおそれて退散するのである。また、壁体４を形成する際に、所定の規格の大きさ、形状のコンクリートブロックやガラスブロック等のブロック体１１を複数積み上げて形成すれば、該ブロック体１１と同形状に不審者威嚇装置１を一体化して形成しておくことで、図６に示すように、１つのブロック体１１を一体化された不審者威嚇装置１と置換することで容易に該不審者威嚇装置１を壁体４に設置することができる。
【００３０】
また、不審者威嚇装置１は、照明手段８、若しくは検知手段６のそれぞれ、若しくは一方に電池等の電源供給手段を設けていてもよく、また、その他にも、別途太陽光パネルを設置し、該太陽光パネルからの起電力により不審者威嚇装置１を駆動するようにしてもよい。この際には、太陽光パネルで発電された電力を蓄電する蓄電手段を設けておいてもよいのは勿論である。
【００３１】
そして、不審者威嚇装置１には、図１０に示すように、照度センサーＵが設けられており、検知手段６が不審者の侵入を検知し、且つ、該照度センサーＵが屋外の照度が所定光量以下になったと判断した場合にのみ照明手段を点灯させることができる。すなわち、該照度センサーＵが、屋外の照度が例えば２０ルクス以下になったと判断し、且つ、検知手段６が不審者の侵入を検知した場合に、これらの検出結果を制御手段Ｓに送信し、該検出結果に基づいて制御手段Ｓが照明手段８を点灯させる。これは、照度の高い昼間等に照明手段８が点灯させて不審者５の影７を住宅の外壁２に投影させようとしても、太陽光の照度の方が大きいため影７が生じにくく効果が少ないためである。
【００３２】
そのため、照度センサーＵが、屋外の照度が例えば２０ルクス以上であると判断し、且つ、検知手段６が不審者の侵入を検知した場合には、この検出結果を制御手段Ｓに送信し、該検出結果に基づいて照明手段８を点灯させずに警報装置等の他の防犯手段Ｔのみを起動させてもよい。しかし、照明手段８の色を赤、青、緑等の白色光以外の有色光とする場合には、屋外の照度が例えば２０ルクス以上であると判断し、且つ、検知手段６が不審者の侵入を検知した場合にも、該照明手段８を点灯させることで、太陽光の色とは異なる色が敷地３の外部から視認され、通路９に不審者が侵入したことを敷地３の外部に知らせることができる。
【００３３】
ここで、相隣接する住宅の住人間のプライバシーを確保するために壁体４が設けられていることが多いが、外部からの視認性が悪く防犯性に欠けるという問題があると共に、隣地境界上にある塀を取壊したり、改築したりすることは困難である。そのため、既設の隣地境界上の壁体４に不審者威嚇装置１を好適に設けることができ、これにより、容易に防犯性を向上することができる。この場合には、図８（ａ）に示すように、隣地境界上に設けられた壁体を、その厚さ方向に貫通して一体化された不審者威嚇装置１を設けてもよく、また、図８（ｂ）に示すように、既設の隣地境界上の壁体４の頂部に相隣接する２つの住宅の通路９を同時に監視する検知手段６を設けるようにして不審者威嚇装置１を設けてもよい。
【００３４】
以上のような不審者威嚇装置１を使用すれば、住宅の敷地３を区切る壁体４と住宅の外壁２との間に侵入した不審者５を威嚇し、住宅内への侵入を防止することができる。
【産業上の利用可能性】
【００３５】
本発明に係る不審者威嚇装置１は、戸建住宅の塀等の壁体だけでなく、マンションの周囲の生垣等ににも使用することができる。
【図面の簡単な説明】
【００３６】
【図１】本実施形態に係る不審者威嚇装置によって住宅の外壁に不審者の影が投影された状態を示す斜視図
【図２】実施形態に係る不審者威嚇装置によって住宅の外壁に不審者の影が投影された状態を示す側面図
【図３】本実施形態に係る不審者威嚇装置によって住宅の外壁にしゃがんだ状態の不審者の影が投影された状態を示す斜視図
【図４】本実施形態に係る不審者威嚇装置によって住宅の外壁にしゃがんだ状態の不審者の影が投影された状態を示す側面図
【図５】図１の壁体をガラスブロックとした例を示す斜視図
【図６】ガラスブロック内に埋め込まれた不審者威嚇装置の斜視図
【図７】相隣接する住宅の敷地を区切る壁体に設けられた不審者威嚇装置を示す側面図
【図８】相隣接する住宅の敷地を区切る壁体に設けられた他の実施形態に係る不審者威嚇装置を示す側面図
【図９】住宅の敷地の上視図
【図１０】本実施形態に係る不審者威嚇装置のブロック図
【図１１】従来技術を示す図
【符号の説明】
【００３７】
１        不審者威嚇装置
２        外壁
３        敷地
４        壁体
５        不審者
６        検知手段
７        影
８        照明手段
１１      ブロック体
Ｓ        制御手段
【図１】
0004941774.tif 000002
【図２】
0004941774.tif 000003
【図３】
0004941774.tif 000004
【図４】
0004941774.tif 000005
【図５】
0004941774.tif 000006
【図６】
0004941774.tif 000007
【図７】
0004941774.tif 000008
【図８】
0004941774.tif 000009
【図９】
0004941774.tif 000010
【図１０】
0004941774.tif 000011
【図１１】
0004941774.tif 000012